(57)【要約】【課題】ヘルスコードの設定に基づいて、送風切り換えガイド手段の作動を制御することにより消費電力を低減し、省エネ効率の向上を図ることができるペーパーパック自動販売機を提供する。【解決手段】要冷却商品の温度が基準冷却温度より上昇したことを検出するヘルスコードを設定するヘルスコード設定装置３７と、このヘルスコード設定装置３７によるヘルスコード設定の有無に基づいて送風切り換えガイド手段４２の作動を制御する送風切り換え制御装置３９とを備え、ヘルスコードのＯＮ設定によりコラム内の商品を要冷却商品として判断し、この該当するコラムに対しては、全領域冷却制御をおこない、ヘルスコードのＯＦＦ設定によりコラム内の商品を常温可商品として判断し、この該当するコラムに対しては、ゾーンクーリング制御をおこなう。【選択図】      図６
2004258785.tif 000002
【特許請求の範囲】
【請求項１】
低温での冷却を必要とする要冷却ペーパーパック商品および常温で収納が可能な常温保存ペーパーパック商品とを庫内の複数のコラム内に収納するペーパーパック自動販売機において、
前記ペーパーパック自動販売機は、前記庫内の各コラム内に収納された複数のペーパーパック商品を冷気による循環送風により冷却する冷却装置と、
前記冷却装置から送出された冷気を庫内の全領域に循環させる全領域送風制御或いは庫内の下方部領域に循環させるゾーンクーリング送風制御のいずれかに切り換える機能を備えた送風切り換えガイド手段と、
前記要冷却商品の温度が予め設定した基準冷却温度より上昇したことを検出するとともに、この温度上昇をヘルスコードとして設定するヘルスコード設定装置と、
前記ヘルスコード設定装置によるヘルスコード設定の有無に基づいて前記送風切り換えガイド手段の作動を制御する送風切り換え制御装置とを備えたことを特徴とするペーパーパック自動販売機。
【請求項２】
前記送風切り換え制御装置は、ヘルスコード設定装置によるヘルスコードの設定時には、前記送風切り換えガイド手段によりゾーンクーリング送風制御から全領域送風制御からへの切り換えをおこなうことを特徴とする請求項１に記載のペーパーパック自動販売機。
【発明の詳細な説明】
【０００１】
【発明の属する技術分野】
本発明は、シロップ飲料やジュース飲料などの常温で保存可能な商品（常温可商品）や乳製品飲料などの冷却を要する要商品（要冷却商品）をペーパーパック商品として販売するペーパーパック自動販売機に関するもので、特に、コラム内に収納された要冷却商品と常温可能商品との区別とヘルスコードの設定に基づいて、ゾーンクーリングと全領域冷却との切り換えを制御することにより、消費電力の低減および省エネ効率の向上を図ることのできるペーパーパック自動販売機に関する。
【０００２】
【従来の技術】
従来から、缶コーヒー飲料などを販売する缶商品専用の自動販売機とともに、商品購入の手軽さからコーヒー飲料、乳製品飲料などの各種飲料をペーパーパック商品として販売するペーパーパック自動販売機が広く普及している。このようなペーパーパック自動販売機の庫内に、冷却を要するペーパーパック商品（例えば、牛乳などの乳製品飲料）を収納（保存）する場合には、品質保持の点から商品を所定の基準冷却温度（１０℃以下）まで冷却する必要がある。
【０００３】
このため、ペーパーパック自動販売機の庫内には、冷却器（エバポレータ）および送風ファンからなる冷却装置を備えており、この冷却装置から送出される冷気により庫内の全領域を冷却する全領域冷却制御をおこなっている。
【０００４】
また、近年においては、庫内を複数の部屋（コラム）に区分して、この区分した複数のコラム内に、要冷却商品とともに、常温により保存可能な常温可商品を収納して販売することができるペーパーパック自動販売機が普及している。
【０００５】
この種のペーパーパック自動販売機１について、図８を参照して説明する、すなわち、図８に示すペーパーパック自動販売機１は、庫内を２部屋に区分するとともに、各コラムを構成する部屋Ａ（Ａ室）に要冷却商品を部屋Ｂ（Ｂ室）に常温可商品をそれぞれ収納することができる。また、各庫内の下方部にはエバポレータ３１（冷却器）と送風ファン３２からなる冷却装置３０ａ、ｂを設けている。
【０００６】
そして、これら冷却装置３０ａ、ｂのエバポレータ３１を作動させるとともに、送風ファン３２から吹出ダクト４０を通じて吹出させた冷気流により庫内の全領域を循環送風（図８中の鎖線矢印）させることにより商品を低温度まで冷却する全領域冷却制御がおこなわれるものとなる。この場合、各コラムに対しては、食品衛生法の規制によりヘルスコード設定装置によるヘルスコードの設定がおこなわれるものとなる。
【０００７】
すなわち、ペーパーパック自動販売機により販売される要冷却商品が乳製品など低温冷却により品質を保持する必要がある商品の場合、一度１０℃以下に冷却された商品が、何らかの原因により１０℃以上（一定時間継続）となった場合には、食品衛生上の観点から問題がある。このため、庫内の各コラムには、要冷却商品の温度が１０℃以上となったことをヘルスコードとして検出する、ヘルスコード設定装置が設けられている。
【０００８】
さらに、この種のペーパーパック自動販売機における冷却装置の冷却制御方法としては、送風切り換えガイド手段を備えることにより、冷却装置による冷気流を庫内の下方部領域に循環させるゾーンクーリング制御をおこなうことによりラック内に収納した商品のうち販売順位の早い商品（以下、『ＮＥＸＴ商品』と称する。）を優先的に冷却した後、全域冷却制御に切換えるようにした冷却装置の冷却制御方法が知られている（例えば、特許文献１参照）。
【０００９】
【特許文献１】
特開２００２−５６４４９号公報
【００１０】
【発明が解決しようとする課題】
ところが、前述した従来のペーパーパック自動販売機１の場合、以下のような問題点がある。すなわち、前述したように従来のペーパーパック自動販売機１の場合、各コラムに対して、食品衛生法の規制により要冷却商品に対しては、ヘルスコード設定装置によるヘルスコード設定がおこなわれるが、常温可商品が収納されているコラムに対しては、ヘルスコードの設定はおこなわない。ところが、図８に示すように、特に保冷が必要とされない常温可商品に対しても全領域冷却がおこなわれている。つまり、特に保冷が必要とされない常温可商品に対する全領域冷却は無駄であるうえ、冷却装置の運転負荷の増大による消費電力の増加が問題となる。
【００１１】
また、前述した特許文献１に記載の発明によると、最初に庫内の下方部冷却をおこなうゾーンクーリングが完了した後に、送風切り換えガイド手段を作動させることにより冷気流の送風方向を切り換えて庫内の全域を冷却する全域冷却制御をおこなっている。このため、やはり常温可商品においても全領域冷却制御がおこなわれるため冷却装置の運転負荷にともなう消費電力の増大が問題となる。
【００１２】
本発明は上記実情に鑑みてなされたものであり、ペーパーパック自動販売機の各コラム内に設けたヘルスコードの設定に基づいて、送風切り換えガイド手段の作動を制御することにより消費電力を低減し、省エネ効率の向上を図ることができるペーパーパック自動販売機を提供することを目的とする。
【００１３】
【課題を解決するための手段】
上記目的を達成するために、本発明の請求項１に係るペーパーパック自動販売機は、低温による冷却を必要とする要冷却ペーパーパック商品および常温で収納が可能な常温保存ペーパーパック商品とを庫内の複数のコラム内に収納するペーパーパック自動販売機において、前記ペーパーパック自動販売機は、前記庫内の各コラム内に収納された複数のペーパーパック商品を冷気による循環送風により冷却する冷却装置と、前記冷却装置から送出された冷気を庫内の全領域に循環させる全領域送風制御或いは庫内の下方部領域に循環させるゾーンクーリング送風制御のいずれかに切り換える機能を備えた送風切り換えガイド手段と、前記要冷却商品の温度が予め設定した基準冷却温度より上昇したことを検出するとともに、この温度上昇をヘルスコードとして設定するヘルスコード設定装置と、前記ヘルスコード設定装置によるヘルスコード設定の有無に基づいて前記送風切り換えガイド手段の作動を制御する送風切り換え制御装置とを備えたことを特徴とする。
【００１４】
また、本発明の請求項２に係るペーパーパック自動販売機は、上述した請求項１前に係る発明において、前記送風切り換え制御装置は、ヘルスコード設定装置によるヘルスコードの設定時には、前記送風切り換えガイド手段によりゾーンクーリング送風制御からゾーンクーリング送風制御への切り換えをおこなうことを特徴とする。
【００１５】
【発明の実施の形態】
以下に添付図面を参照して、本発明に係るペーパーパック自動販売機および冷却装置による冷却制御方法の好適な実施の形態について詳細に説明する。ここで、本発明の特徴は、ヘルスコード設定装置によるヘルスコードの設定（ＯＮ／ＯＦＦ）に基づいて冷却を要する要冷却商品が収納されているコラムに対しては、全領域送風制御により冷却をおこない、常温可能商品が収納されているコラムに対しては、ゾーンクーリング制御により冷却をおこなうことにある。
【００１６】
図１は、本発明の実施の形態であるペーパーパック自動販売機の概略構成を示す側面図である。また、図２は、ペーパーパック自動販売機の下方部を示す拡大図、図３は、図１の上視図をそれぞれ示している。ここで、図１、２において、実線矢印はゾーンクーリング制御による循環送風の経路、鎖線矢印は全領域冷却による循環送風の経路をそれぞれ示している。
【００１７】
すなわち、図１で例示するペーパーパック自動販売機１ａは、コーヒー飲料、乳製品飲料などの各種飲料をペーパーパック商品として販売するための自動販売機で、本体キャビネット１０および前面外扉２０を備えて構成してある。
【００１８】
本体キャビネット１０は、前面（図１の右側）が開口した直方体状を成すもので、この本体キャビネット１０の内部に、複数のペーパーパック商品を上下に積み上げて収納したコラム２５ａ、ｂ、ｃ、ｄを備えた直積式のラック２１を搭載している。これら各コラム２５ａ、ｂ、ｃ、ｄ内には、シロップ飲料やトマトジュースなどの常温で保存可能な商品（常温可商品）や乳製品飲料などの冷却を要する要商品（要冷却商品）がペーパーパック商品として収納されている。また、直積式ラック２１下方部には、このラック２１から落下（搬出）させた商品を商品取出口２３に搬出する水平コンベヤ２４を設けている。
【００１９】
また、図２に詳示するようにペーパーパック自動販売機１を構成する庫内の底部側には、冷却装置３０を備えている。３４は、図示しないコンプレッサなどが内部に設けられたコンデンシングユニットである。冷却装置３０は、エバポレータ３１（蒸発器）、送風ファン３２とを内部に備えた風胴３３により構成されており、庫内の前方（図２の右側）に開口した吸込口から吸引した庫内空気をエバポレータ３１により冷却し、送風ファン３２による送風で吹出ダクト４０を通じて庫内に吹き出すことができる。
【００２０】
具体的には、コンプレッサの運転によりエバポレータ３１に冷媒が供給され、熱交換により冷却された冷気流が送風ファン３２による送風により庫内を矢印に示すように循環送風するため、ラック２１に収納した商品の冷却をおこなうことができる。また、この冷却装置４０の近傍位置には、庫内の温度を検出するためのサーミスタ３６（温度検出手段）が設けられている。
【００２１】
ここで、図３に示すように、本実施の形態では、コラム２１の部屋Ａに要冷却商品を、コラム２１の部屋Ｂに常温可商品が断熱仕切板２９で仕切られてそれぞれ収納されているものとする。具体的には、図３中のＨ印が要冷却商品を、○印が常温可商品をそれぞれ示している。このため、コラム２１の部屋Ａは、ヘルスコードが１コラム設定されるものとなる。このヘルスコードによる設定は、後述するヘルスコード設定テーブル５１（図７）に格納される。
【００２２】
そして、このラック２１内に収納された商品は、ユーザによる購入指示（販売指令）に基づくベンド機構（図示せず）の作動によりラック２１内（各コラム毎）に収納した商品を最下位の商品から順に下方に落下させるとともに、水平コンベヤ２４により商品取出口２３から搬出するようしている。
【００２３】
図４（ａ）、（ｂ）に示すように、冷却装置３０を構成する風胴３３の後端側には庫内の上方部に向けた開口部４１を有する吹出ダクト４０が連結されており、この吹出ダクト４０の内部には送風切り換えガイド手段４２が備えられ、この開口部４１を通じて庫内の全領域に冷気流を循環させる全領域冷却をおこなうことができる。さらに、吹出ダクト４０の側面部にも送風口４３が開口しており、この送風口４３を通じて庫内の下方部に向けて冷気を送風するゾーンクーリングをおこなうことができる。
【００２４】
以下、図４（ａ）、（ｂ）を参照して送風切り換えガイド手段の詳細を説明する。すなわち、図４（ａ）、（ｂ）に示すように、送風切り換えガイド手段４２は、送風ガイド板４５と、この送風ガイド板４５の基端部を軸支する回動軸４６とを備えており、回動軸４６は、吹出ダクト４０の内壁面に取付け固定されるとともに、この回転軸４６は、電磁ソレノイド５０（図５）に連結されている。
【００２５】
図４（ａ）は、ゾーンクーリング制御時の送風切り換えガイド手段の作動を説明する図である。すなわち、ゾーンクーリング制御をおこなう場合には、電磁ソレノイド５０のＯＮ制御により送風ガイド板４５を時計方向に回動する。これにより、送風ガイド板４５が回動軸４６を支点として時計方向に揺動し、ほぼ４５°の角度の位置に停止して吹出ダクト４０の上端開口部４１を閉塞する。これにより、冷却装置４０から送風された冷気は上端開口部４１ではなく送風口４３から送出（実線矢印）されるため、庫内の下方部に収納されたＮＥＸＴ商品に対する冷却をおこなうことができる。
【００２６】
図４（ｂ）は、全領域冷却制御時の送風切り換えガイド手段の作動を説明する図である。すなわち、全領域冷却制御をおこなう場合には、電磁ソレノイド５０（図５）のＯＦＦ制御により送風ガイド板４５を反時計方向に回動する。これにより、回動した送風ガイド板４５により送風口４３が閉塞するため、冷却装置３０ａ、ｂから送風された冷気は上端開口部４１を通じて庫内の上部側に送出され（図中、鎖線矢印）、この送出された冷却流により庫内の全体領域冷却がおこなわれるものとなる。
【００２７】
図５は、上述したペーパーパック自動販売機における冷却装置に関する制御系を示す機能ブロック図である。同図に示すように、ペーパーパック自動販売機に１備えられる制御部１５には、エバポレータ３１（冷却器）およびコンデンシングユニット３４を有する冷却装置３０ａ、ｂ、送風ファン３２および送風ファン駆動用の送風モータ３５、ヘルスコード設定装置３７、送風切り換え制御装置３９、送風切り換えガイド手段４２、電磁ソレノイド５０、庫内の温度を検出するサーミスタ３６（温度検出手段）が接続されている。このサーミスタ３６は、庫内の温度を検出する機能を備えている。このサーミスタ３６により検出された温度に基づいて、冷却装置３０ａ、ｂの作動（ＯＮ／ＯＦＦ）の制御およびヘルスコードの作動がおこなわれる。
【００２８】
ヘルスコード設定装置３７は、食品衛生法の規制に基づいたヘルスコードの有無（ＯＮ／ＯＦＦ）を設定する機能を備えている。ここで、前述したようにヘルスコードとは、要冷却商品の温度が基準冷却温度（１０℃以下）よりも上昇したことを検出するとともに、この温度上昇をヘルスコードとして設定する機能を備えており、このヘルスコードの検出は、サーミスタ３６によりおこなわれる。
【００２９】
また、このヘルスコード設定装置３７は後述するヘルスコード設定テーブル５１（図７）を有しており、このヘルスコード設定テーブル５１に基づいてゾーンクーリング制御と全領域冷却制御とのうちいずれかの冷却方法を設定することができる。
【００３０】
送風切り換え制御装置３９は、サーミスタ３６により検出された庫内温度に基づいて送風切り換えガイド手段４２を作動させゾーンクーリング制御と全領域冷却制御との切り換えをおこなう機能を備えている。送風ファン３２は、送風モータ３５により駆動されるとともに、冷却装置３０ａ、ｂからの冷却空気を庫内に循環させる機能を備えている。制御部１５は、これら各構成要素の動作を統括的に制御する機能を備えている。
【００３１】
以下、本発明におけるペーパーパック自動販売機における冷却制御方法の詳細について、図６、７を参照して説明する。図６は、ペーパーパック自動販売機の運転時における冷却制御方法の処理手順を示すフローチャートを示している。図７は、ヘルスコード設定装置３７に備えたヘルスコード設定テーブル５１を示している。
【００３２】
すなわち、図６のフローチャートに示すように、先ず、ペーパーパック自動販売機１ａの庫内に収納するペーパーパック商品が要冷却商品か否かの判定をおこない（ステップＳ６００）、商品が要冷却商品である場合には（ステップＳ６００肯定）、ヘルスコード設定装置３７（図５）によるヘルスコードの設定をＯＮ設定とする（ステップＳ６１０）。このヘルスコード設定装置３７によるＯＮ設定は、ヘルスコード設定テーブル５１に格納される。
【００３３】
そして、本発明では、このヘルスコードの設定がＯＮ設定とされた場合には、庫内の要冷却商品に対する冷却制御方法は全領域冷却制御となる（ステップＳ６２０）。ここで、前述したように全領域冷却制御とは、庫内の全領域に対して冷却装置３０からの冷気を循環送風させる制御である。具体的には、図３（ｂ）に示すように、送風切り換えガイド手段４２を作動させることにより、開口４１から冷気を送出し庫内の商品の全領域の冷却をおこなうものである。このように、本発明では、ヘルスコードのＯＮ設定によりコラム内の商品が要冷却商品として判断され、この該当するコラムに対しての全領域冷却制御により商品を基準冷却温度（１０℃以下）として保冷することができる。
【００３４】
一方、ステップＳ６００の判定によりペーパーパック自動販売機１ａの庫内に収納するペーパーパック商品が要冷却商品でない場合には（ステップＳ６００否定）、次いで、この庫内に収納するペーパーパック商品が常温可商品か否かの判定をおこない（ステップＳ６３０）、ペーパーパック商品が常温可商品である場合には（ステップＳ６３０肯定）、ヘルスコード設定装置３７によるヘルスコードの設定をＯＦＦ設定とする（ステップＳ６４０）。このヘルスコード設定装置３７によるＯＦＦ設定は、ヘルスコード設定テーブル５１に格納される。そして、本発明では、このヘルスコードの設定がＯＦＦ設定とされた場合には、庫内の常温可商品に対する冷却制御方法はゾーンクーリング制御となる（ステップＳ６５０）。ここで、前述したようにゾーンクーリング制御とは、最初に販売するＮＥＸＴ商品の冷却をおこなう目的で、庫内の下方部に向けて冷却装置３０ａ、ｂからの冷気を循環送風させる制御である。
【００３５】
具体的には、図３（ａ）に示すように、送風切り換え手段４２を作動させることにより、送風口４３から冷気を送出しＮＥＸＴ商品の冷却をおこなうものである。このように、本発明では、ヘルスコードのＯＦＦ設定によりコラム内の商品が常温可商品として判断され、該当するコラムに対してのゾーンクーリング制御により商品に対する余分な冷却を抑制することができ、冷却装置３０ａ、ｂによる運転負荷の低減にともなう消費電力の低減を図ることができる。
【００３６】
次に、図７を参照してヘルスコード設定テーブルの詳細を説明する。すなわち、このヘルスコード設定テーブル５１は、要冷却商品か常温可商品かを区分するペーパーパック商品の種類、ヘルスコードの設定（有無）、冷却制御方法という３つのフィールドを備えている。実際には、このヘルスコードの設定は、ペーパーパック自動販売機を管理するサービスマンなどにより設定される。
【００３７】
ここで、本例では、Ａ室およびＣ室には、牛乳などの低温（基準冷却温度）により冷却な必要な要冷却商品が収納されることを示しており、この場合、前述したようにヘルスコードの設定はＯＮ（有り）となり、冷却制御方法は、全領域冷却制御によりおこなわれるものとなる。
【００３８】
一方、Ｂ室には、常温により保存可能な常温可商品が収納されることを示しており、この場合、ヘルスコードの設定はＯＦＦ（無し）となり、この場合の冷却制御方法は、ゾーンクーリング制御によりおこなわれるものとなる。
【００３９】
以上のように、本発明では、ペーパーパック自動販売機のヘルスコード設定装置によるヘルスコード設定に基づき、ヘルスコードがＯＮ設定の場合には、コラム内の商品を要冷却商品として判断し、この該当するコラムに対しては、全領域冷却制御をおこない、ヘルスコードがＯＦＦ設定の場合には、コラム内の商品を常温可商品として判断し、この該当するコラムに対しては、ゾーンクーリングおこなうため、消費電力を低減し、省エネ効率の向上を図ることができる。
【００４０】
なお、上述した実施の形態では、特にペーパーパック商品を発売するためのペーパーパック自動販売機を例示しているが、本発明は、その他の飲料を販売するものにも、もちろん適用することが可能である。
【００４１】
また、上述した実施の形態では送風切り換えガイド手段４２を作動させるアクチュエータとして、電磁ソレノイドを採用しているが、これに限定されるのもではなく、その他、例えばリンク機構などによりガイド板の作動を制御することもできる。
【００４２】
【発明の効果】
以上述べたように、本発明の請求項１に係るペーパーパック自動販売機によれば、常時冷却を必要とする要冷却ペーパーパック商品および常温で収納が可能な常温保存ペーパーパック商品とを庫内の複数のコラム内に収納するペーパーパック自動販売機において、ペーパーパック自動販売機は、前記庫内の各コラム内に収納された複数のペーパーパック商品を冷気による循環送風により冷却する冷却装置と、冷却装置から送出された冷気を庫内の全領域に循環させる全領域送風制御或いは庫内の下方部領域に循環させるゾーンクーリング送風制御のいずれかに切り換える機能を備えた送風切り換えガイド手段と、要冷却商品の温度が基準冷却温度より上昇したことを検出するヘルスコードを設定するヘルスコード設定装置と、ヘルスコード設定装置によるヘルスコード設定の有無に基づいて前記送風切り換えガイド手段の作動を制御する送風切り換え制御装置とを備えるので、ヘルスコード設定装置によるヘルスコードの設定に基づいて冷却を要する要冷却商品が収納されているコラムは、全領域送風制御により冷却をおこない、常温可能商品が収納されている常温可能商品コラムは、ゾーンクーリング制御により冷却をおこなうため、余分な消費電力の低減を図ることができる。また、ペーパーパック自動販売機の設置後のランニングコストを低減できることから、省エネを実現でき、これにより地球温暖化防止に寄与することができる。
【００４３】
また、本発明の請求項２に係るペーパーパック自動販売機によれば、前記送風切り換え制御装置は、ヘルスコード設定装置によるヘルスコードの設定時には、送風切り換えガイド手段によりゾーンクーリング制御から全領域送風制御への切り換えをおこなうので、実際の販売形態に則して、全領域送風制御とゾーンクーリング制御との切り換えにより常温可商品に対する冷却を低減し、これにより冷却装置の運転率の低減に伴い消費電力の節減化を図ることができる。
【図面の簡単な説明】
【図１】本発明の実施の形態であるペーパーパック自動販売機の全体概略構成を示す側面図である。
【図２】図１に示したのペーパーパック自動販売機の下方部拡大図である。
【図３】図１に示したペーパーパック自動販売機の上視図である。
【図４】（ａ）は、全領域冷却制御時、（ｂ）は、ゾーンクーリング制御時の送風ガイド切り換え手段の作動状態を示す図である。
【図５】図１に示したペーパーパック自動販売機の構成を示した機能ブロック図である。
【図６】図１に示したペーパーパック自動販売機による全体処理手順を示したフローチャートである。
【図７】図５に示したヘルスコード設定テーブルの構成を説明する図である。
【図８】従来の要冷却商品および常温可商品を収納するペーパーパック自動販売機の概略を示す全体構成図である。
【符号の説明】
１    ペーパーパック自動販売機
１０  キャビネット本体
２０  前面外扉
２１  ラック
２３  商品取出口
２５  水平コンべア
３０  冷却装置
３１  エバポレータ（冷却器）
３２  送風ファン
３３  風胴
３４  コンデンシングユニット
３５  送風モータ
３６  サーミスタ
３７  ヘルスコード設定装置
３９  送風切り換え制御装置
４０  吹出ダクト
４１  開口部
４２  送風切り換えガイド手段
４３  送風口
４５  送風ガイド板
４６  回動支軸
５０  電磁ソレノイド
５１  ヘルスコード設定テーブル
【図１】
2004258785.tif 000003
【図２】
2004258785.tif 000004
【図３】
2004258785.tif 000005
【図４】
2004258785.tif 000006
【図５】
2004258785.tif 000007
【図６】
2004258785.tif 000008
【図７】
2004258785.tif 000009
【図８】
2004258785.tif 000010